(57)【要約】【課題】設置床面の状態が悪くても台板が変形することなく、吸い込みグリル開閉等に影響の少ない台板を備えた床置き形空気調和機を提供すること。【解決手段】室内の床面に設置される床置き形空気調和機において、本体の下部を構成し、床面と接触するプラスチック製の台板７と、この台板７の前面側に配置され、上部が前面パネルの下部に収まり、下部を台板７に入り込ませた吸い込みグリルと、台板の底面ほぼ全域に形成された底面全域凹部７ｇと、この底面全域凹部７ｇに形成され、床面と接触するリブ７ｈとを備えたことを特徴とする。【選択図】図５
2006343097.tif 000002
【特許請求の範囲】
【請求項１】
室内の床面に設置される床置き形空気調和機において、
本体の下部を構成し、床面と接触するプラスチック製の台板と、
この台板の前面側に配置され、上部が前面パネルの下部に収まり、下部を前記台板に入り込ませた吸い込みグリルと、
前記台板の底面ほぼ全域に形成された凹部と、
この凹部に形成され、床面と接触するリブとを備えたことを特徴とする床置き形空気調和機。
【請求項２】
前記リブを前後、横方向全域に形成したことを特徴とする請求項１に記載の床置き形空気調和機。
【請求項３】
室内の床面に設置される床置き形空気調和機において、
本体の下部を構成し、床面と接触するプラスチック製の台板と、
この台板の前面側に配置され、上部が前面パネルの下部に収まり、下部が前記台板に入り込ませた吸い込みグリルと、
前記台板の底面ほぼ全域に形成された床面と接触するリブとを備えたことを特徴とする床置き形空気調和機。
【請求項４】
前記リブを櫛状に形成したことを特徴とする請求項３に記載の床置き形空気調和機。
【発明の詳細な説明】
【技術分野】
【０００１】
この発明は、床置き形空気調和機及び床置き形機器に関するものである。
【背景技術】
【０００２】
図８は、従来の床置き形空気調和機の据付方法を示す斜視図である。図において、１は床置き形空気調和機本体、２は本体外郭の天面を構成する天面パネル、３は本体を壁面５に固定する据付金具、４は据付金具３を天面パネル２に固定する据付金具固定ネジ、６は据付金具３を壁面５に固定する木ネジ、７は床置き形空気調和機本体１の下部を構成するプラスチック製の台板、７ａは台板７の底面に一体成形されたボルト穴、８は床面９に埋め込まれたアンカーボルト、１０はアンカーボルト８に締め付けられるナット、１１は台板７の両端フランジ部７ｂにネジ固定された側面パネル、１２は台板７の前側フランジ部７ｃに乗せ保持された吸い込みグリル、１３は本体外郭の前面を構成する前面パネルである。
【０００３】
床置き形空気調和機本体１は、天面パネル２の後部に据付金具３をネジ４で固定し、また木ネジ６で据付金具３と壁面５を固定することで転倒防止ができる。また、床置き形空気調和機本体１の下部を構成するプラスチック製の台板７の下面にはアンカーボルト８のボルト穴７ａが一体形成されていおり、床面９がコンクリート材の場合は、予め床面９の指定位置に埋め込まれた数本のアンカーボルト８をボルト穴７ａに挿入し、ナット１０で締め付けることで、床面９と固定され転倒防止できる。また床面９が木材の場合は、台板７の上方すなわちユニット内部から木ネジ６でボルト穴７ａより床面９と固定する。床置き形空気調和機本体１の上部、下部両方を固定することで安定した転倒防止ができるが、一般的には据付金具３のみの転倒防止がほとんどである。
【０００４】
床置き形空気調和機本体１の下部を構成するプラスチック製の台板７の両端フランジ部７ｂには側面パネル１１がネジ固定される。また、前側フランジ部７ｃには吸い込みグリル１２が設けられ、吸い込みグリル１２の下部フランジ１２ａを、図９に示すように台板７に入り込ませ前方へのズレを規制することで保持される。吸い込みグリル１２はこの下部フランジ部１２ａ及び台板前側フランジ部７ｃを中心に円弧を描くように開閉され、吸い込みグリル１２の上部が前面パネル１３の下部に収まるように設けられて床置き形空気調和機を形成する。
【０００５】
台板７はプラスチック材のため床面９の凹凸９ａにより変形しやすく、変形した場合は、図１０に示すように吸い込みグリル１２が上方に距離ａだけ持ち上げられて、前面パネル１３と接触してしまうため、吸い込みグリル１２の開閉に影響を及ぼす。
【特許文献１】特開平１０−２０５８７８号公報
【特許文献２】実願昭６２−１９４３６４号
【特許文献３】特開平５−３４０１８号公報
【特許文献４】特開平６−１４７５３９号公報
【特許文献５】実願平１−１２６１３号
【特許文献６】実願昭５８−２９６０号
【特許文献７】実願昭５４−６０５２７号
【発明の開示】
【発明が解決しようとする課題】
【０００６】
従来の床置き形調和機は以上のように構成され、据付金具３を使用した床置き形調和機本体１の上部のみでの転倒防止が一般的であり、床面９がコンクリート材の場合は、アンカーボルト８による転倒防止は、アンカーボルト８の設置が大変なことから、行われることが少ない。しかしながら、壁面５がコンクリートの場合、また壁面５から床置き形調和機本体１を離して設置したい場合等は、台板７による転倒防止しか方法は無く、特に床材がコンクリートの場合はアンカーボルト８を事前に床面９に埋め込む必要があり、据付工事が非常に大変であった。
【０００７】
また、床置き形調和機本体１の下部を構成する台板７はプラスチックで形成されているため、強度に限界が有り、床置き形調和機本体１を設置する床面９のちょっとした凹凸やゴミにより変形しやすい。台板７が変形した状態で据え付けられた場合は、吸い込みグリル１２が上方に持ち上げられ、吸い込みグリル１２の上部が前面パネル１３に収まらなく吸い込みグリル１２の開閉に影響がでるなどの問題点があった。
【０００８】
この発明は、上記のような問題点を解消するためになされたもので、転倒防止手段の強化拡大を図ると共に、容易に安定した転倒防止ができる床置き形空気調和機及び床置き形機器を提供することを目的とする。
【０００９】
また、設置床面の状態が悪くても台板が変形することなく、吸い込みグリル開閉等に影響の少ない台板を備えた床置き形空気調和機及び床置き形機器を提供することを目的とする。
【課題を解決するための手段】
【００１０】
この発明に係る床置き形空気調和機は、室内の床面に設置される床置き形空気調和機において、本体の下部を構成し、床面と接触するプラスチック製の台板と、この台板の前面側に配置され、上部が前面パネルの下部に収まり、下部を台板に入り込ませた吸い込みグリルと、台板の底面ほぼ全域に形成された凹部と、この凹部に形成され、床面と接触するリブとを備えたことを特徴とする。
【発明の効果】
【００１１】
この発明に係る床置き形空気調和機は、本体の下部を構成し、床面と接触する台板の底面ほぼ全域に凹部を形成し、この凹部に床面と接触するリブを形成したことにより、設置床面の状態が悪くても、台板の底面ほぼ全域の凹部により床面の凹凸を逃がすことで台板の変形を防ぐことができる。
【発明を実施するための最良の形態】
【００１２】
以下、この発明の実施の形態を図面に基づいて説明する。
実施の形態１．
図１〜７は実施の形態１を示す図で、図１は床置き形空気調和機の据付方法を示す斜視図、図２〜４は床置き形空気調和機の台板固定方法を示す斜視図、図５、６は台板の底面形状を示す斜視図、図７は台板の底面形状の作用を示す図である。
【００１３】
図１〜７において、１は床置き形空気調和機本体、２は本体外郭の天面を構成する天面パネル、３は本体を壁面５に固定する据付金具、４は据付金具３を天面パネル２に固定する据付金具固定ネジ、６は据付金具３を壁面５に固定する木ネジ、７は床置き形空気調和機本体１の下部を構成するプラスチック製の台板、７ａは台板７の底面に一体成形されたボルト穴、８は床面９に埋め込まれたアンカーボルト、１０はアンカーボルト８に締め付けられるナット、１１は台板７の両端フランジ部７ｂにネジ固定された側面パネル、１２は台板７の前側フランジ部７ｃに乗せ保持された吸い込みグリルである。
【００１４】
７ｄは台板７の両端フランジ部７ｃに形成されたフランジ凹部、７ｅは台板７の側面に形成された側面長穴状の凹部、７ｆは台板７の底面両端に形成された底面長穴状の凹部、７ｇは台板７の底面ほぼ全域に形成された底面全域凹部、７ｈは床面９と面一になるように底面全域凹部７ｇに形成されたリブ、７ｊは台板７の底面全域に櫛状に形成された櫛状のリブ、１３は前面パネル、１４は板金薄板からなるクランク状の転倒防止部材、１５は薄板からなるＬ字形の転倒防止部材である。
【００１５】
床置き形空気調和機本体１は、天面パネル２の後部に据付金具３をネジ４で固定し、また木ネジ６で据付金具３と壁面５を固定することで転倒防止ができる。
【００１６】
また、床置き形空気調和機本体１の下部を構成するプラスチック製の台板７の下面にはアンカーボルトの挿入用のボルト穴７ａが一体形成されており、床面９がコンクリート材の場合は、あらかじめ床面９の指定位置に埋め込まれた数本のアンカーボルト８をこのボルト穴７ａに挿入し、ナット１０で締め付けることで、床面９と固定され転倒防止できる。
【００１７】
また台板７の両端フランジ部７ｂにはフランジ凹部７ｄが形成されており、図２に示すように、側面パネル１１との結合部に所定幅の隙間が生じている。この隙間に板金薄板からなるクランク状の転倒防止部材１４を挿入して床面９に埋め込まれたアンカーボルト８により床面９に固定することで、床置き形空気調和機本体１を据付金具３で壁面５に固定することによる設置後でも、アンカーボルト８による固定、又は床面に直接ネジ固定により床面での転倒防止を強化することが可能である。
【００１８】
また、床面９が木材の場合は、台板７の上方すなわちユニット内部から木ネジ６でボルト穴７ａより床面９と固定できるが、前記クランク状の転倒防止部材１４を用いての固定も可能である。
【００１９】
図３は台板７の両端側面に側面長穴状の凹部７ｅを一体形成し、側面長穴状の凹部７ｅにクランク状の転倒防止部材１４を挿入して床面９に埋め込まれたアンカーボルト８により床面９に固定する変形例である。
【００２０】
また、図４は台板７の両端底面に底面長穴状の凹部７ｆを一体形成し、底面長穴状の凹部７ｆに板金薄板からなるＬ字形の転倒防止部材１５を挿入し、金具を介して床面に固定した変形例である。
【００２１】
また、両端フランジ部７ｂのフランジ凹部７ｄと、両端側面の側面長穴状の凹部７ｅと、両端底面の底面長穴状の凹部７ｆを組合せ一体形成することで、色々な転倒防止方法を選択することも可能となる。
【００２２】
床置き形空気調和機本体１下部を構成するプラスチック製の台板７の両端フランジ部７ｂには側面パネル１１がネジ固定され、また前側フランジ部７ｃには吸い込みグリル１２が配置され、吸い込みグリル下部フランジを台板７に入り込ませ前方へのズレを規制することで保持される。
【００２３】
吸い込みグリル１２はこの下部フランジ部及び台板７の前側フランジ部７ｃを中心に円弧を描くように開閉され、吸い込みグリル１２の上部が前面パネル１３の下部に収まるように位置され床置き形空気調和機を形成する。
【００２４】
台板７の底面ほぼ全域には、図５に示すように深さの数ミリの底面全域凹部７ｇが形成され、また、この底面全域凹部７ｇには、床面９と接触する複数のリブ７ｈを前後、横全域に形成しており台板７の底面強度を確保している。図７に示すように、床面９に多少の凹凸９ａが有った場合でも、底面全域凹部７ｇにより担ぐこともなく、台板７の変形は防止される。
【００２５】
また、図６は床面と接触する台板の底面ほぼ全域に、高さ数ミリからなる櫛状のリブ７ｊを形成したものであり、上記の底面全域凹部凹部７ｇとほぼ同様の効果が得られる。
【００２６】
上述の実施の形態では、クランク状の転倒防止部材１４、Ｌ字形の転倒防止部材１５を台板７の側面に挿入する例を示したが、側面に限定されない。
【００２７】
上述の実施の形態では、床置き形空気調和機を例に説明したが、室内の床面に設置される機器であれば、この発明は適用可能である。
【００２８】
この発明の実施の形態に係る床置き形空気調和機は、室内の床面に設置される床置き形空気調和機において、本体の下部を構成する台板の外周部に固定用凹部を設け、固定用凹部に挿入されると共に、本体の外側の床面に固定される転倒防止部材を備えたことを特徴とする。
【００２９】
また、この発明の実施の形態に係る床置き形空気調和機は、台板と、台板の上に位置する本体外郭部材との結合面に所定幅の隙間が生じるように台板に凹部を形成し、その隙間に転倒防止部材を挿入したことを特徴とする。
【００３０】
また、この発明の実施の形態に係る床置き形空気調和機は、台板の外周面に長穴状の凹部を形成し、転倒防止部材を長穴状の凹部に挿入したことを特徴とする。
【００３１】
また、この発明の実施の形態に係る床置き形空気調和機は、台板の底面の外周部付近に長穴状の凹部を形成し、転倒防止部材を長穴状の凹部に挿入したことを特徴とする。
【００３２】
また、この発明の実施の形態に係る床置き形空気調和機は、台板の側面に、固定用凹部を設けたことを特徴とする。
【００３３】
また、この発明の実施の形態に係る床置き形空気調和機は、台板と、台板の上に位置する側面パネルとの結合面に所定幅の隙間が生じるように台板に凹部を形成し、その隙間に転倒防止部材を挿入したことを特徴とする。
【００３４】
また、この発明の実施の形態に係る床置き形空気調和機は、台板の側面に長穴状の凹部を形成し、転倒防止部材を長穴状の凹部に挿入したことを特徴とする。
【００３５】
また、この発明の実施の形態に係る床置き形空気調和機は、台板の底面の側部に長穴状の凹部を形成し、転倒防止部材を長穴状の凹部に挿入したことを特徴とする。
【００３６】
また、この発明の実施の形態に係る床置き形空気調和機は、転倒防止部材をクランク状に形成したことを特徴とする。
【００３７】
また、この発明の実施の形態に係る床置き形空気調和機は、転倒防止部材をＬ字形に形成したことを特徴とする。
【００３８】
また、この発明の実施の形態に係る床置き形空気調和機は、転倒防止部材を本体の外側の床面に埋め込まれたアンカーボルトに固定、又は本体の外側の床面に直接ネジ固定することを特徴とする。
【００３９】
また、この発明の実施の形態に係る床置き形空気調和機は、本体の天面パネル後部に据付金具を固定し、据付金具を部屋の壁面に固定することを特徴とする。
【００４０】
また、この発明の実施の形態に係る床置き形空気調和機は、台板の下面を、床面に埋め込まれたアンカーボルトに固定、又は床面に直接ネジ固定することを特徴とする。
【００４１】
また、この発明の実施の形態に係る床置き形空気調和機は、台板と台板の上に位置する本体外郭部材との結合面に所定幅の隙間が生じるように前記台板に形成した凹部と、台板の外周面に形成した長穴状の凹部と、台板の底面の外周部付近に形成した長穴状の凹部と、を任意に選択組み合わせて転倒防止機構を構成することを特徴とする。
【００４２】
また、この発明の実施の形態に係る床置き形空気調和機は、台板と台板の上に位置する側面パネルとの結合面に所定幅の隙間が生じるように台板に形成した凹部と、台板の側面に形成した長穴状の凹部と、台板の底面の側部に形成した長穴状の凹部と、を任意に選択組み合わせて転倒防止機構を構成することを特徴とする。
【００４３】
また、この発明の実施の形態に係る床置き形空気調和機は、室内の床面に設置される床置き形空気調和機において、本体の下部を構成し、床面と接触する台板の底面ほぼ全域に凹部を形成し、この凹部に床面と接触するリブを形成したことを特徴とする。
【００４４】
また、この発明の実施の形態に係る床置き形空気調和機は、リブを前後、横方向全域に形成したことを特徴とする。
【００４５】
また、この発明の実施の形態に係る床置き形空気調和機は、凹部の深さを数ミリにしたことを特徴とする。
【００４６】
また、この発明の実施の形態に係る床置き形空気調和機は、室内の床面に設置される床置き形空気調和機において、本体の下部を構成し、床面と接触する台板の底面ほぼ全域にリブを形成したことを特徴とする。
【００４７】
また、この発明の実施の形態に係る床置き形空気調和機は、リブを櫛状に形成したことを特徴とする。
【００４８】
また、この発明の実施の形態に係る床置き形空気調和機は、リブの高さを数ミリにしたことを特徴とする。
【００４９】
この発明の実施の形態に係る床置き形機器は、室内の床面に設置される床置き形機器において、本体の下部を構成する台板の外周部に固定用凹部を設け、固定用凹部に挿入されると共に、本体の外側の床面に固定される転倒防止部材を備えたことを特徴とする。
【００５０】
また、この発明の実施の形態に係る床置き形機器は、台板と、台板の上に位置する本体外郭部材との結合面に所定幅の隙間が生じるように台板に凹部を形成し、その隙間に転倒防止部材を挿入したことを特徴とする。
【００５１】
また、この発明の実施の形態に係る床置き形機器は、台板の底面の外周部付近に長穴状の凹部を形成し、転倒防止部材を長穴状の凹部に挿入したことを特徴とする。
【００５２】
また、この発明の実施の形態に係る床置き形機器は、転倒防止部材をクランク状に形成したことを特徴とする。
【００５３】
また、この発明の実施の形態に係る床置き形機器は、転倒防止部材をＬ字形に形成したことを特徴とする。
【００５４】
また、この発明の実施の形態に係る床置き形機器は、台板と台板の上に位置する本体外郭部材との結合面に所定幅の隙間が生じるように台板に形成した凹部と、台板の外周面に形成した長穴状の凹部と、台板の底面の外周部付近に形成した長穴状の凹部と、を任意に選択組み合わせて転倒防止機構を構成することを特徴とする。
【００５５】
また、この発明の実施の形態に係る床置き形機器は、室内の床面に設置される床置き形機器において、本体の下部を構成し、床面と接触する台板の底面ほぼ全域に凹部を形成し、この凹部に床面と接触するリブを形成したことを特徴とする。
【００５６】
また、この発明の実施の形態に係る床置き形機器は、リブを前後、横方向全域に形成したことを特徴とする。
【００５７】
また、この発明の実施の形態に係る床置き形機器は、凹部の深さを数ミリにしたことを特徴とする。
【００５８】
この発明の実施の形態に係る床置き形空気調和機は、本体の下部を構成する台板の外周部に固定用凹部を設け、固定用凹部に挿入されると共に、本体の外側の床面に固定される転倒防止部材を備えたことにより、転倒防止ができると共に、設置後でも床面での転倒防止を強化することが可能である。
【００５９】
また、この発明の実施の形態に係る床置き形空気調和機は、台板と、台板の上に位置する本体外郭部材との結合面に所定幅の隙間が生じるように台板に凹部を形成し、その隙間に転倒防止部材を挿入したことにより、設置後でも床面での転倒防止を強化することが可能である。
【００６０】
また、この発明の実施の形態に係る床置き形空気調和機は、台板の外周面に長穴状の凹部を形成し、転倒防止部材を長穴状の凹部に挿入したことにより、設置後でも床面での転倒防止を強化することが可能である。
【００６１】
また、この発明の実施の形態に係る床置き形空気調和機は、台板の底面の外周部付近に長穴状の凹部を形成し、転倒防止部材を長穴状の凹部に挿入したことにより、設置後でも床面での転倒防止を強化することが可能である。
【００６２】
また、この発明の実施の形態に係る床置き形空気調和機は、台板の側面に固定用凹部を設けたことにより、転倒防止を効果的に実現できる。
【００６３】
また、この発明の実施の形態に係る床置き形空気調和機は、台板と台板の上に位置する側面パネルとの結合面に所定幅の隙間が生じるように台板に凹部を形成し、その隙間に転倒防止部材を挿入したことにより、設置後でも床面での転倒防止を強化することが可能である。
【００６４】
また、この発明の実施の形態に係る床置き形空気調和機は、台板の側面に長穴状の凹部を形成し、転倒防止部材を長穴状の凹部に挿入したことにより、設置後でも床面での転倒防止を強化することが可能である。
【００６５】
また、この発明の実施の形態に係る床置き形空気調和機は、台板の底面の側部に長穴状の凹部を形成し、転倒防止部材を長穴状の凹部に挿入したことにより、設置後でも床面での転倒防止を強化することが可能である。
【００６６】
また、この発明の実施の形態に係る床置き形空気調和機は、転倒防止部材をクランク状に形成したことにより、転倒防止を効果的に実現できる。
【００６７】
また、この発明の実施の形態に係る床置き形空気調和機は、転倒防止部材をＬ字形に形成したことにより、転倒防止を効果的に実現できる。
【００６８】
また、この発明の実施の形態に係る床置き形空気調和機は、転倒防止部材を本体の外側の床面に埋め込まれたアンカーボルトに固定、又は本体の外側の床面に直接ネジ固定することにより、設置後でも床面での転倒防止を強化することが可能である。
【００６９】
また、この発明の実施の形態に係る床置き形空気調和機は、本体の天面パネル後部に据付金具を固定し、据付金具を部屋の壁面に固定することにより、転倒防止機能を強化することができる。
【００７０】
また、この発明の実施の形態に係る床置き形空気調和機は、台板の下面を、床面に埋め込まれたアンカーボルトに固定、又は床面に直接ネジ固定することにより、さらに転倒防止機能を強化することができる。
【００７１】
また、この発明の実施の形態に係る床置き形空気調和機は、台板と台板の上に位置する本体外郭部材との結合面に所定幅の隙間が生じるように前記台板に形成した凹部と、台板の外周面に形成した長穴状の凹部と、台板の底面の外周部付近に形成した長穴状の凹部と、を任意に選択組み合わせて転倒防止機構を構成することにより、据付状況に応じて、色々な転倒防止方法を選択できる。
【００７２】
また、この発明の実施の形態に係る床置き形空気調和機は、台板と台板の上に位置する側面パネルとの結合面に所定幅の隙間が生じるように台板に形成した凹部と、台板の側面に形成した長穴状の凹部と、台板の底面の側部に形成した長穴状の凹部と、を任意に選択組み合わせて転倒防止機構を構成することにより、据付状況に応じて、色々な転倒防止方法を選択できる。
【００７３】
また、この発明の実施の形態に係る床置き形空気調和機は、本体の下部を構成し、床面と接触する台板の底面ほぼ全域に凹部を形成し、この凹部に床面と接触するリブを形成したことにより、設置床面の状態が悪くても、台板の底面ほぼ全域の凹部により床面の凹凸を逃がすことで台板の変形を防ぐことができる。
【００７４】
また、この発明の実施の形態に係る床置き形空気調和機は、リブを前後、横方向全域に形成したことにより、台板の底面強度を確保することができる。
【００７５】
また、この発明の実施の形態に係る床置き形空気調和機は、凹部の深さを数ミリにしたことにより、床面の凹凸を逃がすことができると共に、台板の底面強度を確保することができる。
【００７６】
また、この発明の実施の形態に係る床置き形空気調和機は、本体の下部を構成し、床面と接触する台板の底面ほぼ全域にリブを形成したことにより、台板の底面ほぼ全域に形成されたリブの間に、床面の凹凸を逃がすことで台板の変形を防ぐことができる。
【００７７】
また、この発明の実施の形態に係る床置き形空気調和機は、リブを櫛状に形成したことにより、床面の凹凸を逃がすことができると共に、台板の底面強度を確保することができる。
【００７８】
また、この発明の実施の形態に係る床置き形空気調和機は、リブの高さを数ミリにしたことにより、床面の凹凸を逃がすことができると共に、台板の底面強度を確保することができる。
【００７９】
この発明の実施の形態に係る床置き形機器は、本体の下部を構成する台板の外周部に固定用凹部を設け、固定用凹部に挿入されると共に、本体の外側の床面に固定される転倒防止部材を備えたことにより、転倒防止ができると共に、設置後でも床面での転倒防止を強化することが可能である。
【００８０】
また、この発明の実施の形態に係る床置き形機器は、台板と、台板の上に位置する本体外郭部材との結合面に所定幅の隙間が生じるように台板に凹部を形成し、その隙間に転倒防止部材を挿入したことにより、設置後でも床面での転倒防止を強化することが可能である。
【００８１】
また、この発明の実施の形態に係る床置き形機器は、台板の底面の外周部付近に長穴状の凹部を形成し、転倒防止部材を長穴状の凹部に挿入したことにより、設置後でも床面での転倒防止を強化することが可能である。
【００８２】
また、この発明の実施の形態に係る床置き形機器は、転倒防止部材をクランク状に形成したことにより、転倒防止を効果的に実現できる。
【００８３】
また、この発明の実施の形態に係る床置き形機器は、転倒防止部材をＬ字形に形成したことにより、転倒防止を効果的に実現できる。
【００８４】
また、この発明の実施の形態に係る床置き形機器は、台板と台板の上に位置する本体外郭部材との結合面に所定幅の隙間が生じるように台板に形成した凹部と、台板の外周面に形成した長穴状の凹部と、台板の底面の外周部付近に形成した長穴状の凹部と、を任意に選択組み合わせて転倒防止機構を構成することにより、据付状況に応じて、色々な転倒防止方法を選択できる。
【００８５】
また、この発明の実施の形態に係る床置き形機器は、本体の下部を構成し、床面と接触する台板の底面ほぼ全域に凹部を形成し、この凹部に床面と接触するリブを形成したことにより、設置床面の状態が悪くても、台板の底面ほぼ全域の凹部により床面の凹凸を逃がすことで台板の変形を防ぐことができる。
【００８６】
また、この発明の実施の形態に係る床置き形機器は、リブを前後、横方向全域に形成したことにより、台板の底面強度を確保することができる。
【００８７】
また、この発明の実施の形態に係る床置き形機器は、凹部の深さを数ミリにしたことにより、床面の凹凸を逃がすことができると共に、台板の底面強度を確保することができる。
【図面の簡単な説明】
【００８８】
【図１】実施の形態１を示す図で、床置き形空気調和機の据付方法を示す斜視図である。
【図２】実施の形態１を示す図で、床置き形空気調和機の台板固定方法を示す斜視図である。
【図３】実施の形態１を示す図で、床置き形空気調和機の台板固定方法の変形例を示す斜視図である。
【図４】実施の形態１を示す図で、床置き形空気調和機の台板固定方法の他の変形例を示す斜視図である。
【図５】実施の形態１を示す図で、台板の底面形状を示す斜視図である。
【図６】実施の形態１を示す図で、台板の底面形状の変形例を示す斜視図である。
【図７】実施の形態１を示す図で、台板の底面形状の作用を示す図である。
【図８】従来の床置き形空気調和機の据付方法を示す斜視図である。
【図９】従来の床置き形空気調和機の吸い込みグリル取り付け状態を示す斜視図である。
【図１０】従来の床置き形空気調和機の台板変形による吸い込みグリルの開閉不具合を示す正面図と側面図である。
【符号の説明】
【００８９】
１  床置き形空気調和機本体、２  天面パネル、３  据付金具、４  据付金具固定ネジ、５  壁面、６  木ネジ、７  台板、７ａ  ボルト穴、７ｂ  両端フランジ部、７ｃ  前側フランジ部、７ｄ  フランジ凹部、７ｅ  側面長穴状の凹部、７ｆ  底面長穴状の凹部、７ｇ  底面全域凹部、７ｈ  リブ、７ｊ  櫛状のリブ、８  アンカーボルト、９  床面、９ａ  凹凸、１０  ナット、１１  側面パネル、１２  吸い込みグリル、１３  前面パネル、１４  クランク状の転倒防止部材、１５  Ｌ字形の転倒防止部材。
【図１】
2006343097.tif 000003
【図２】
2006343097.tif 000004
【図３】
2006343097.tif 000005
【図４】
2006343097.tif 000006
【図５】
2006343097.tif 000007
【図６】
2006343097.tif 000008
【図７】
2006343097.tif 000009
【図８】
2006343097.tif 000010
【図９】
2006343097.tif 000011
【図１０】
2006343097.tif 000012